(57)【要約】      （修正有）【課題】無線デバイスの要求、アクセスの優先度、セルラネットワークの受ける影響を考慮して実行するアクセス規制の方法を提供する。【解決手段】方法は、ベースノードと動作するセルラネットワーク内の無線デバイスがベースノードから規制対象となる集中使用レベル情報を含む規制指示を受信した場合、無線デバイスは、ベースノードの利用可能な資源を大量に使用し拡張カバレッジモードで動作する集中使用モードで、かつ、非特権サービスでの動作中であるとの条件を満たす場合に、ベースノードへのアクセスを抑制する。非特権サービスは、所定の通信アクセスクラスでの通信セッションを実行する特権サービスではないセルラネットワーク内でのサービスである。【選択図】図１
2020145761.tif 000002
【特許請求の範囲】
【請求項１】
セルラネットワーク（２）内で無線デバイス（１）を動作させる方法であって、
前記無線デバイス（１）は前記セルラネットワーク（２）のベースノード（３）と動作しており、
前記方法は、
前記無線デバイス（１）が前記ベースノード（３）からの規制指示を受信すると、前記無線デバイス（１）が、
（ｉ）前記ベースノード（３）の利用可能な資源を大量に使用する集中使用モードで、かつ、（ii）非特権サービスでの動作中であるとの条件で、前記ベースノード（３）へのアクセスを抑制するステップを備え、
前記非特権サービスは、前記セルラネットワーク（２）内でのサービスであって特権サービスではなく、前記特権サービスは少なくとも所定の通信アクセスクラスでの通信セッションを実行することを含む方法。
【請求項２】
前記集中使用モードが拡張カバレッジモードで動作することを含む、請求項１に記載の無線デバイスを動作させる方法。
【請求項３】
前記集中使用モードが複数の集中使用レベルを含み、前記アクセスを抑制するための条件が、
−前記無線デバイスが、少なくとも規制信号で示された前記集中使用レベルで動作していることをさらに含む、請求項１又は２に記載の方法。
【請求項４】
前記集中使用レベルが、拡張カバレッジモードにおいて必要な推定反復回数に関連する、請求項３に記載の方法。
【請求項５】
前記集中使用レベルが、前記無線デバイスが動作しているカバレッジ拡張レベルに関連する、請求項３に記載の方法。
【請求項６】
前記通信アクセスクラスが、
−緊急通信、
−警報通信、
−例外通信、及び
−遅延クリティカルな通信、
のうちの少なくとも１つを含む、請求項１に記載の方法。
【請求項７】
前記特権サービスが、
−所定のセルラネットワーク料金表で動作していること、又は
−特権タイプの無線デバイスに関連していること、
のうちの少なくとも１つを含む、請求項１に記載の方法。
【請求項８】
セルラネットワーク（２）のベースノード（３）と動作する無線デバイス（１）であって、
前記無線デバイス（１）は前記ベースノード（３）からの規制指示を受信すると、
前記無線デバイス（１）が、（ｉ）前記ベースノード（３）の利用可能な資源を大量に使用する集中使用モードで、かつ、（ii）非特権サービスでの動作中であるとの条件で、前記ベースノード（３）へのアクセスを抑制するよう構成され、
前記非特権サービスは、前記セルラネットワーク（２）内でのサービスであって特権サービスではなく、前記特権サービスは少なくとも所定の通信アクセスクラスでの通信セッションでの通信セッションを実行するよう構成される無線デバイス。
【請求項９】
前記集中使用モードが拡張カバレッジモードで動作することを含む、請求項８に記載の無線デバイス。
【請求項１０】
前記集中使用モードが複数の集中使用レベルを含み、前記アクセスを抑制するための条件が、前記無線デバイスが、少なくとも規制信号で示された前記集中使用レベルで動作することをさらに含む、請求項８又は９に記載の無線デバイス。
【請求項１１】
前記通信アクセスクラスが、
−緊急通信、
−警報通信、
−例外通信、及び
−遅延クリティカルな通信、
のうちの少なくとも１つを含む、請求項８に記載の無線デバイス。
【発明の詳細な説明】
【技術分野】
【０００１】
本発明は、セルラネットワークにおいて無線デバイスを動作させる方法に関する。本発明は、当該方法を用いる無線デバイスにも関する。本発明はさらに、無線通信のためのセルラネットワークに関する。
【背景技術】
【０００２】
無線セルラ通信の最近の動向の一環として、既存の携帯電話機に加えて、新しいカテゴリーの無線デバイスが導入された。この新しいカテゴリーにはマシン型通信（ＭＴＣ）デバイスが含まれる。セルラネットワークで動作するマシン型通信デバイスの数は、少なくとも一定の領域において、携帯電話機の数を明らかに上回るであろうことが予想される。
【０００３】
その結果、セルラネットワークについて、特に特定のトラフィック特性、例えばマシン型通信、とりわけ定常動作や主として一方向のまれであるが周期的なデータ伝送、データ専用通信若しくは遅延耐性通信スキームなどを考慮して、この予想される増加に対処できる方法が開発された。
【０００４】
これらの開発の一部は、具体的にはロングタームエボリューション（ＬＴＥ）規格、特にＬＴＥ−ＭＴＣ、すなわちＬＴＥカテゴリー０又は１の開発に取り入れられている。
【０００５】
この開発の一部は、過負荷状況にある特定のベースノード、すなわちｅＮｏｄｅＢのセルラネットワークが、そのトラフィッククラスに基づくデバイスによるベースノードへのアクセス、又は少なくともセルラネットワークの資源割当を許可しないことを可能にする、いわゆる拡張アクセス規制（ＥＡＢ）、すなわちアクセスクラス規制（ＡＣＢ）である。このようなトラフィッククラスは、特に帯域幅低減デバイス、及び／又は拡張カバレッジで動作するデバイスに関連する。
【０００６】
セルラネットワークは、ＥＡＢ機能を使用してネットワークの安定性を保証する手段を、少なくとも最終的手段として有する。
【０００７】
アクセス規制のコンセプトは、影響を受けたベースノードがアクセス不可能な全ての無線デバイスのためのものを含む。この全か無かのコンセプトは、あるアクセスクラスの無線デバイスにだけ影響を与えるアクセスクラス規制に適しているため、“ｃｅｌｌＢａｒｒｅｄ”フラグが設定された場合に、Ｍ−ＳＩＢを復号することが想定される。
【０００８】
しかしながら、このような全か無かのコンセプトは、全てのマシン型通信デバイスのセルラネットワークアクセス規制につながる点で不利である。これにより、全てのマシン型通信デバイスは、使用強度、無線デバイス通信の目的、又は無線デバイスの種類に関係なく同様に扱われる。
【０００９】
特許文献１には、過負荷制御は、ベースノードでの無線デバイスが登録時に既にアクティブになっている場合にも適用される旨が記載されている。しかし、拒否フィールドを設定する場合、低アクセス優先度に設定されている無線デバイスは、システムアクセス手順を続行出来ない。即ち、すべての低アクセス優先度に設定されている無線デバイスは、所定の通信アクセスクラスにおいて通信セッションを実行することは出来ない。
【００１０】
特許文献２には、ネットワークアクセス制御は、アクセス禁止レベルに従って実行され、いくつかのデバイスタイプが規定され、各アクセス端末はデバイスタイプが属するＵＳＩＭに構成されている。そして、アクセス禁止はデバイスタイプのきめ細かい組み合わせに従って実行される。
ネットワークにとっては有利な解決法である。なぜなら、ネットワークの過負荷の場合に、すべてのアクセス端末または少なくとも大規模なアクセス端末のグループを気にする必要がないからである。しかし、影響を受ける端末の場合、これは完全に通信を切断されるか、完全に通信を許可されるかの二者択一である。
【先行技術文献】
【特許文献】
【００１１】
【特許文献１】米国特許出願公開第２０１６／００５７６４６号明細書
【特許文献２】米国特許出願公開第２０１６／００４０６４３号明細書
【発明の概要】
【発明が解決しようとする課題】
【００１２】
したがって、本発明の目的は、上述の欠点を克服すること、及びセルラネットワークとその影響を受ける無線デバイスの要求をともに考慮に入れた改善されたアクセス規制コンセプトに関する解決策を提案することである。
【００１３】
したがって、さらなる代替的かつ有利な解決策が当該技術分野で望ましいであろう。
【課題を解決するための手段】
【００１４】
このため、本発明の第１の態様によれば、請求項１に記載の無線デバイスを動作させる方法が提案される。更に、本発明の第２の態様によれば、請求項８に記載の無線デバイスが提案される。
【００１５】
本発明の第１の態様によれば、セルラネットワークにおいて無線デバイスを動作させる方法であって、無線デバイスがセルラネットワークのベースノードで動作し、方法が、ベースノードから無線デバイスで受信される規制指示を通知したとき、
−無線デバイスが集中使用モードで動作している、かつ
−無線デバイスが非特権サービスで動作している、
という条件下で、ベースノードへのアクセスを抑制するステップを含む方法が提案される。
【００１６】
本発明は、無線通信のためにセルラネットワークにおいて動作する無線デバイスに関する。無線デバイスは、一般に少なくとも通信ユニットと、サービングベースノードとの無線エアインタフェースにアクセスするためのアンテナと、制御処理ユニットと、加入者識別ユニットとを備えた任意の種類のデバイスである。サービングベースノードは、セルラネットワークに属する複数のベースノードの１つである。サービングベースノードは、無線デバイスがキャンプオンしているベースノードである。
【００１７】
ベースノードは、セルラネットワークのエアインタフェースへのエントリポイントである。ベースノードは、２Ｇ（ＧＳＭ（登録商標）、ＧＰＲＳ、ＥＤＧＥ）、３Ｇ（ＵＭＴＳ、ＨＳＰＡ）、４Ｇ（ＬＴＥ、ＬＴＥ−Ｃａｔｘ、ＬＴＥ−Ｍ）のようなサポートされている技術によって、具体的に基地局（ＢＳ）、ｎｏｄｅＢ、ｅＮｏｄｅＢとして実装される。
【００１８】
無線デバイスは、セルラネットワークにおける動作中、サービングベースノードから送信されるブロードキャストチャネルを周期的に復号化している。ブロードキャストチャネルの一部として、典型的にはシステム情報が提供される。これらのシステム情報は、いわゆるシステム情報ブロック（ＳＩＢ）に配置されることが好ましい。
【００１９】
関連技術標準には、サービス情報に規制指示を提供するための少なくとも１つのフィールドが想定されることが規定されている。一般的には“ｃｅｌｌＢａｒｒｅｄ”フラグとして知られているこの規制指示フィールドは、既知の標準に準拠する、ベースノードにキャンプオンしている全ての無線デバイスが、サービングベースノード上でデータ伝送セッションを開始することを妨げられることを示すバイナリフィールドである。
【００２０】
これは特に、このＳＩＢがサービス情報を受信するようにアドレス指定される無線デバイスに関連する。最近の動向によれば、ＳＩＢ専用の特定種類の無線デバイスが想定される。これは特に、いわゆるＭ−ＳＩＢが定義されるマシン型通信デバイスに適用される。
【００２１】
これにより、ネットワークオペレータは、このような種類の無線デバイスのみに対するアクセスを制限する機会を得る。このことは、トラフィック要求が比較的低くかつ非瞬間的な多数のマシン型通信デバイス、つまり人間に操作される携帯電話器と比較して優先度の低いデバイスが予想されるときに有益である。
【００２２】
また、規制は無線デバイスのトラフィッククラスに依存していてもよい。これにより、通常呼を行っている、例えば携帯電話機などの他のものは規制されないが、あるトラフィッククラスで動作している無線デバイスだけがセルラネットワークへのアクセスを規制されることになる。
【００２３】
好ましくは、規制が集中使用モードで現在動作している無線デバイスのみに影響を及ぼすことになるように規制指示を変更することが想定される。
【００２４】
好ましくは、これは、この状況を示すＭ−ＳＩＢ内の追加のフィールドによって、又は別のディメンジョンによって既存の規制指示フィールドを拡張することによって達成される。
【００２５】
集中使用モードは、ベースノードの使用可能な大量の資源を使用するモードである。これは特に、ペイロードデータとオーバーヘッドデータの間のバランスが後者に近づく無線デバイスのケースである。このケースでは多くの資源が使用されるが、見返りとしての対価がない。
【００２６】
こうした改善は、多くの資源、すなわちパワーを使用するように動作しているが、それにもかかわらず得る優先度が低い無線デバイスだけに影響を及ぼす点で有利である。
【００２７】
好適な実施形態では、集中使用モードは、拡張カバレッジモードで動作することを含む。
【００２８】
この有利な実施形態によって、受信状態が悪い無線デバイスに関心が持たれる。拡張カバレッジモードは、特にＭＴＣデバイスのための３ＧＰＰリリース１３の定義の一部として定義された。この拡張カバレッジ（ＥＣ）モードは、多くの反復受信によって、データパケットを受信器から確実に復号できるまで、同じデータパケットが受信器によって十分頻繁に結合されるような通信を可能にすることによって当該受信問題を解決する。典型的には、これは、例えば建物の地階で動作させる無線デバイス、例えば計量装置のために行われる。
【００２９】
各データパケットの伝送を繰り返す必要性によって、ベースノードにおける資源の使用量が高くなる。したがって、拡張カバレッジモードで動作している無線デバイスが、集中使用モード無線デバイスである。
【００３０】
同じことは、２Ｇ技術標準用に定義された拡張カバレッジモードにも当てはまる。
【００３１】
他の集中使用モードはさらに、デバイスツーデバイス（Ｄ２Ｄ）通信用に定義されるサイドリンク／リレーデバイスに関連する。このようなリレーデバイスは、ベースノードへの直接アクセスができない又は制限された他の無線デバイスのためのアグリゲータとして動作する。したがって、リレーデバイスは資源使用量が比較的高い。
【００３２】
さらに、集中使用モード使用ケースは、エアインタフェースに対する瞬時干渉を克服するために、あるレベルを超える符号化速度が必要になる場合に生じる可能性がある。これにより、すなわち高い符号化速度によって、転送されるペイロードが小さいままであるのに対して、転送されるビット数が非常に多くなると思われる。
【００３３】
したがって、集中使用モードの様々な選択肢が本発明の方法に包含される。
【００３４】
その結果、無線デバイスは、受信したブロードキャスト信号の一部として規制指示を受信しており、さらに、それが無線デバイスに適用されるかどうかを確認する。これは、無線デバイス自体が、集中使用モード、具体的には拡張カバレッジモードで動作している場合にのみ当てはまり得る。
【００３５】
しかし、これは規制が行われるための唯一の前提条件ではない。集中使用モードでの動作は、無線デバイスの動作の種類について何も教示しないため、ベースノードが混雑状態の場合に規制する必要がある無線デバイスを特定するために、使用モード基準に依存するだけでは足りない。
【００３６】
また、本発明の方法の一環として、無線デバイスが現在動作しているサービスの種類が考慮される。したがって、無線デバイスが、無線デバイスが動作している集中使用モードに対する規制指示を検出した場合は、特に現在動作しているサービスをさらに特定する。
【００３７】
無線デバイスは、非特権サービスで動作しているとき、ベースノードへのさらなるアクセスを抑制するのみである。
【００３８】
好ましくは、非特権サービスは、特権サービスでないサービスである。
【００３９】
特権サービスは、救急サービスや、特に適時性の点で高い重要度を割り当てたその他のサービスのような、より高い優先度を割り当てたサービスである。
【００４０】
そのような表示がない場合、使用されているサービスは非特権サービスと見なされる。その結果、この場合にのみベースノードへのアクセスが抑制され、規制が各無線デバイスに対して有効になる。
【００４１】
この追加のパラメータは、多くの資源を塞ぐ可能性があるが、そのシェアが最も低そうな優先度の高いサービスで動作している無線デバイスに影響を及ぼすことがない無線デバイスを区別できるため有利である。
【００４２】
この追加の基準によって、無線デバイスが規制状況の影響を受けているか否かの決定が動的に行われることはさらに有利である。開始された又は計画されたサービスによって、無線デバイスは、同じ規制トラフィッククラス及び集中使用モードを備えた同じ状況で規制が可能であったり、不可能であったりする。
【００４３】
別の好適な実施形態において、集中使用モードは複数の集中使用レベルを含み、アクセスを抑制するための当該条件は、無線デバイスが少なくとも規制信号で示された集中使用レベルで動作していることをさらに含むことが提案される。
【００４４】
この実施形態は、集中使用モードが異なる使用レベルを有する可能性があるという追加のオプションに基づいている。これに基づいて集中使用レベルが定義される。
【００４５】
このようなレベルは、実施態様によって、レベル番号の増加と共に増加するセルラネットワーク資源の使用度を示す可能性がある。どんな場合でも、少なくとも２つの集中使用レベルの異なるレベルが区別され、無線デバイスは、規制指示によって規制がどの集中使用レベルに向けられているかの表示を得る。好ましくは、規制指示によって集中使用レベルがＳＩＢ、すなわちＭ−ＳＩＢの追加のフィールドに送信される。
【００４６】
３が最高の使用度を示す、１から３の３つの集中使用レベルがある場合、無線デバイスは次のように動作している。
【００４７】
規制指示が集中使用レベル２を示す場合は、無線デバイスは、集中使用レベル２又は３で動作している場合に、−当然、動作されているサービスに依存して−、規制を検討している。
【００４８】
規制指示が集中使用レベル３を示す場合は、集中使用レベル３で動作している無線デバイスだけが規制を検討する。
【００４９】
規制指示が集中使用レベル１を示す場合は、集中使用モードで動作している全ての無線デバイスが対象とされ、規制を検討する。
【００５０】
拡張カバレッジに関連する集中使用モードと関連して、集中使用レベルは、拡張カバレッジモードにおいて必要な推定反復回数に関連することが好ましい。
【００５１】
この好適な実施形態によって、拡張カバレッジモードの資源使用量の増加が考慮される。集中使用レベルを定義する推定反復回数は最大何回までかを定義する必要がある。好ましくは、拡張カバレッジレベルが定義され、これらの拡張カバレッジレベルは集中使用レベルに関連する。
【００５２】
その結果、受信信号を確実に復号するための反復回数が増えると共に、ベースノードの資源の使用が増加する。規制指示によって示される集中使用レベルと拡張カバレッジレベルの一致は相互作用を単純化し、最も資源を消耗させる無線デバイスに対する規制指示の微調整を可能にする。
【００５３】
特に現在の３ＧＰＰ仕様では、拡張カバレッジレベルは、ＣＥモードＡ及びＣＥモードＢ、又は拡張カバレッジサポート全体を３つ以上の異なるＣＥレベルに分けるより細かい粒度に区別されることになっている。想定されるこのような分類も、本実施形態に適用されることが好ましい。
【００５４】
このことは、異なる分類を保持する必要がない点で特に有利である。さらに、集中使用レベルへの分類は、ベースノードと無線デバイスの相互作用について、どの無線デバイスを規制すべきかの区別を単純化する。これはまた、最終的にＳＩＢ内の規制指示のためのビット数を低減させる。
【００５５】
特権又は非特権サービスについて、別の好適な実施形態によれば、特権サービスは、少なくとも所定の通信アクセスクラスにおいて通信セッションを実行することを含むことがさらに提案される。
【００５６】
通信アクセスクラスによって、無線デバイスは特に、無線デバイスが現在動作している又は開始する予定のサービスの優先度を容易に識別する機会を得る。
【００５７】
非特権サービスと考えられる特定の通信アクセスクラスのセット及び／又は特権サービスと考えられるセットがあらかじめ定義されることが好ましい。
【００５８】
これにより無線デバイスは、規制指示がある場合に、セルラネットワークへのアクセスを抑制する必要があるか否かを容易に判断することができる。優先度、すなわち特権通信の通信アクセスクラスに関するさらなる表示を割り当てることがさらに有利である。したがって、特権通信が規制されていない、又はそれにもかかわらず規制されている表示は、セル内のトラフィックを制御するためのよりきめ細かい手段をさらに与えることになる。
【００５９】
好ましくは、このような特権通信アクセスクラスは、
−緊急通信、
−警報通信、
−例外通信、及び
−遅延クリティカルな通信、
のうちの少なくとも１つを含む。
【００６０】
緊急通信は特に、緊急呼び出し、具体的にはＥＴＳＩ ＴＳ ２２．０１１に規定されたものに関連する。
【００６１】
さらに、警報通信及び例外通信は特権的と見なされることになる。そのため、特定種類のサービスが、特に警報及び／又は例外通信クラスを含む、割り当てられた優先度判別クラスを有する必要がある。
【００６２】
また、遅延クリティカルな通信が特権サービスと見なされることも好ましい。このことは、このような通信にはその性質から連続的／周期的な情報の流れが必要であることから有利である。システムを調整するための環境制御センサが、そのような接続性に関する要求を有する可能性がある。
【００６３】
そのようなサービス判定によって、無線デバイスは、結果として規制指示による関心が持たれているか否かを容易に検出する立場にある。
【００６４】
別の好適な実施形態によれば、特権サービスは、
−所定のセルラネットワーク料金表で動作していること、又は
−特権タイプの無線デバイスに関連していること、
のうちの少なくとも１つを含むことがさらに提案される。
【００６５】
これらの特権サービスは、より安定的で、無線デバイスのベースノードとの通信の種類と無関係であるとされている。これによれば、使用されているある料金表が、これが優先度の高いデバイスとして動作している無線デバイスであることを示す。このことは、これが規制動作によって、他のものからより多くサービス利用料が支払われる無線デバイスが規制されないことを保証する点で有利である。これは特に、緊急呼び出しなどをさらに可能にする車載エンターテイメントシステムに当てはまる。
【００６６】
ここでさらに、安定的で通信の種類に依存したサービス優先度の組み合わせが本発明の一部として想定されカバーされる。
【００６７】
料金表は必ずしも一定である必要はないことに留意すべきである。特に、ある時間帯に他の時間帯よりはるかに費用のかかる料金表が想定される。したがって、無線デバイスは、非常に重要である場合は、費用のかかる時間ウィンドウでのみデータ伝送セッションを実行することになる。故に、この実施形態は、このような状況を簡単かつ信頼できる方法でカバーする。
【００６８】
さらに、料金表情報は、特にベアラ非依存プロトコルを介した、無線デバイスに接続された加入者識別モジュール（ＳＩＭ）への遠隔信号伝達によって変化する可能性がある。そのような動的更新では、各規制指示が受信された場合に、現在の料金表が特権サービスの範囲内にあるか否かをチェックすることが提案される。
【００６９】
代替的に、無線デバイスの種類は、それが特権サービスであるか非特権サービスであるかを示す。そのため、無線デバイスは、デバイスタイプに関する表示を内部に格納する必要がある。
【００７０】
そのような表示を格納する１つの手段は、加入者識別ユニット、具体的にはＳＩＭ又はＵＩＣＣの一部である。この加入者識別ユニットにアクセスすることによって、無線デバイスはデバイスタイプを知ることができる。
【００７１】
この実施形態は、ホームセキュリティシステムの警報パネルが、高い混雑状態のときでも電力計量装置よりも信頼できる接続性にはるかに依存する点で有利である。
【００７２】
このような状況では、動作の種類は必ずしもサービスの優先度を示さないことになる。
【００７３】
本発明の第２の態様によれば、セルラネットワークのベースノードで動作する無線デバイスであって、無線デバイスが、ベースノードから受信した規制指示を通知したとき、
−無線デバイスが集中使用モードで動作している、かつ
−無線デバイスが非特権サービスで動作している、
という条件下で、ベースノードへのアクセスを抑制するように構成された無線デバイスが提案される。
【００７４】
第２の態様は、第１の態様の利点を共有する。
【００７５】
本発明の第３の態様では、無線通信用のセルラネットワークであって、セルラネットワークの一部であるベースノードの少なくとも１つのセル領域を含むセルラネットワークのカバレッジ領域の混雑状態を検出するように構成され、この検出に応答して、ブロードキャスト内で特定される集中使用モードの所定の集中使用レベルで動作している無線デバイスの規制を指示する信号を当該カバレッジ領域にブロードキャストし、特権サービスで動作している場合に、このような無線デバイスに対するアクセスを許可するように構成されたセルラネットワークが提案される。
【００７６】
本発明のこの態様は、複数のベースノードを備えるセルラネットワークに関連する。このセルラネットワークは、混雑状況に対処し、適切な処置を講じるように構成される。これは特に、本発明の第２の態様に係る無線デバイスがセルラネットワークで動作している状況に適用される。
【００７７】
そのため、セルラネットワークは、カバレッジ領域、特にベースノードのセル領域における混雑状態を検出するように構成される。これは、ベースノードの資源の使用量を測定することによる場合であることが好ましい。典型的には、一定の資源使用量に達したときに、初期の警告閾値が定義される。
【００７８】
セルラネットワーク、すなわちベースノードや、セルラネットワークの他の構成要素が混雑状況を検出する多くの方法が当該技術分野で知られている。
【００７９】
このような状況が検出された場合、セルラネットワークは、ベースノードで動作している無線デバイスにブロードキャスト内で規制指示を提供することによる処置を講じるように構成される。
【００８０】
このような規制指示は、ある集中使用レベルで動作している無線デバイスのみに向けられる。
【００８１】
これは、好ましいことに、ベースノードの資源の著しいシェアを消耗させる無線デバイスが、ベースノードにアクセスすることを規制されることになるために十分である。
【００８２】
しかし、この規制は、例外的に、特権サービスで動作している無線デバイスに適用されない。したがって、これらの無線デバイスに対して、アクセスは規制されない。好ましくは、セルラネットワークは、規制指示に規制される集中使用レベルの表示を提供する。
【００８３】
また、ひたすら規制される非特権サービスの代わりに、少なくとも１つの特権サービス、すなわち規制されない少なくとも１つの対応する通信クラスに関する表示を含むことが好ましい。
【００８４】
本発明のこの態様の好適な実施形態によれば、集中使用レベルの事前決定は、当該カバレッジ領域の混雑レベルを考慮することが提案される。
【００８５】
この実施形態は、特に規制のために示される集中使用レベルが、混雑度に応じて選ばれることを示す。これによりセルラネットワークは、規制を微調整する手段を有する。
【００８６】
特に、第１のステップでは、最高の集中使用レベルだけが規制される。次に、規制指示によってどの程度混雑状態が緩和されるかが判明する。これが十分でない場合、特に、このレベルで動作している無線デバイスがごくわずかしかない場合、次の集中使用レベルがさらに規制される。
【００８７】
これは許容混雑レベルに達するまで繰り返される。
【００８８】
この反復法はさらに、かなり多数の無線デバイスが特権サービスで動作しており、さらに高い集中使用レベルで動作している状況に対処することができる。この場合、高い集中使用レベルの規制は、混雑状態の著しい緩和をもたらさない可能性が高くなるであろう。
【００８９】
したがって、第２のステップでは、次のより低い集中使用レベルがさらに規制される。これは典型的には、より多くの無線デバイスに影響を及ぼし、臨界閾値以下に混雑状態を緩和する可能性を高めることになる。この場合、より低い集中使用モード又は非集中使用モードで動作している無線デバイスと、さらに特権サービスで動作している無線デバイスとが各ベースノードで動作し続けることもできる。
【００９０】
示されているように、本発明は、有利には示された課題を解決し、セルラネットワークが、無線デバイスを規制するきめの細かい手段によって、大半の無線デバイスの安定性及び接続性を維持することを可能にする。これは、ベースノードの資源を使用するだけの無線デバイスを含む、いずれに対する接続性も最終的に提供しない既知の全か無かの解決策と比較して有利であることが示される。
【図面の簡単な説明】
【００９１】
以下の説明及び添付図面は幾つかの例示的な態様を詳細に示しているが、実施形態の原理を使用することができる種々の方法のうちのほんの一部を示しているにすぎない。本発明の特徴及び利点は、限定的ではなく例示的な例として与えられる有利な実施形態の以下の説明及び添付図面を読む時に現れるだろう。
【００９２】
【図１】本発明の好適な実施形態を示すフローチャートを表す。
【図２ａ】規制指示がある場合の本発明のある実施形態に係る無線デバイスの動作を示す。
【図２ｂ】規制指示がある場合の本発明のある実施形態に係る無線デバイスの動作を示す。
【発明を実施するための形態】
【００９３】
図１は、本発明の好適な実施形態をフローチャートで示す。これは無線デバイス、すなわち本発明に係るユーザ装置（ＵＥ）を想定している。この無線デバイスは、２Ｇ（ＧＳＭ、ＧＰＲＳ、ＥＤＧＥ）、３Ｇ（ＵＭＴＳ、ＨＳＰＡ）、４Ｇ（ＬＴＥ、ＬＴＥ−Ｃａｔｘ、ＬＴＥ−Ｍ）のような標準技術をサポートするセルラネットワークと動作するように構成される。
【００９４】
そのため、ステップＳ１においてベースノード（ＢＳ）にキャンプオンしている。このベースノードは、セルラネットワーク、すなわち無線アクセスネットワークのサポートされている技術標準に依存して、特に基地局（ＢＳ）、ｎｏｄｅＢ、ｅＮｏｄｅＢとして実装されている。無線デバイスが現在キャンプオンしているベースノードは、サービングベースノードと呼ばれる。
【００９５】
無線デバイスは、具体的にはマシン型通信（ＭＴＣ）デバイスである。このようなＭＴＣデバイスは、マシン同士の通信を可能にすることが想定された、典型的にはデータ伝送用の無線デバイスである。
【００９６】
これには、測定データを遠隔サーバに定期的に送信する計量装置が含まれる。別の例は、緊急の場合に遠隔サービスセンターにメッセージを送信することになっているホームセキュリティデバイスである。現在例示している実施形態は、これらの例示的なデバイスタイプに限定されないことはもちろんである。
【００９７】
一般的な動作の一環として、無線デバイスは、ステップＳ２に示すように、サービングベースノードから受信したシステム情報ブロードキャストを定期的にチェックしている。このシステム情報ブロードキャストは、典型的にはブロードキャストチャネル（ＢＣＣＨ）の一部として提供される。これはシステム情報ブロック（ＳＩＢ）のセットを含む。
【００９８】
実施態様に応じて、無線デバイス、特にＭＴＣデバイスの特別なグループについて、専用のＳＩＢ、いわゆるＭ−ＳＩＢが定義されることが想定される。この場合、本発明の方法はＭ−ＳＩＢをチェックするだけで足りる。
【００９９】
定期的なチェックは、時間的周期若しくはイベント駆動、又はこれらの組み合わせで行われている。好ましくは、無線デバイスは、所定のブロードキャストチャネル変更期間中にＳＩＢを１回チェックする。最後のチェックからＳＩＢに変化が起こったかどうかを認識するために、データ伝送セッションに備えて少なくともＳＩＢのサブセット、特にＢＣＣＨ値タグをチェックすることが特に好ましい。ｃｅｌｌＢａｒｒｅｄフィールドの変化を含むＳＩＢのいかなる変化もＢＣＣＨ値タグのインクリメントをもたらすことになる。したがって、規制指示がアクティブでない場合に、ＢＣＣＨ値タグが前のチェックから変化しなかった場合は、無線デバイスは、規制指示が現在アクティブでないことを知っている。
【０１００】
ｃｅｌｌＢａｒｒｅｄフィールドによって、ベースノードは、無線デバイス、すなわち少なくともＭＴＣデバイスに、ベースノードについて、このベースノードで動作するために規制が作動されていることを示す。したがって、これは少なくともデータ伝送セッションより前にチェックする必要がある。
【０１０１】
したがって、Ｓ３において、ＳＩＢが、各無線デバイスが属している無線デバイスのグループに対する規制状況を示しているかどうかが、本発明の方法の一部としてチェックされる。
【０１０２】
当てはまらない場合、この動作は通常動作のためにステップＳ４に分岐する。ここで無線デバイスは、データを送受信する、又はＳＩＢをチェックするための次の機会までひたすら待機するなどの通常の動作を行っている。
【０１０３】
規制指示が発見された場合、プロセスフローはＹｅｓ分岐に沿ってステップＳ５に分岐する。
【０１０４】
本発明の方法は、改善された規制指示スキームに基づいているため、セル上の全ての無線デバイス、又は少なくとも全てのＭＴＣデバイスに対するアクセスを単に規制することにはなっていない。その代わりに、規制指示は、規制されたトラフィッククラスに関する情報を含む。
【０１０５】
このトラフィッククラスにより、本発明の好適な実施形態によれば、集中使用モードに関してベースノードの資源使用量に応じた規制が定義される。このトラフィッククラスは、特に拡張カバレッジモードで動作している無線デバイスに関連する。
【０１０６】
したがって、ステップＳ５において、拡張カバレッジで動作している無線デバイスが規制されることになることが規制指示によって示された場合は、ステップＳ６において、実際に拡張カバレッジで動作している無線デバイスはステップＳ７に分岐することになる。そうでなければ、明らかに規制指示の影響を受けず、ステップＳ４で動作し続けることができる。
【０１０７】
代替的に、規制されたトラフィッククラスは、無線デバイスが拡張カバレッジで動作しているかどうかだけでなく、どの拡張カバレッジレベルで動作しているかという問題に関連する。これは、深いカバレッジで動作している無線デバイスが、はるかに良い受信状態にあるが、いまだ拡張カバレッジで動作している他の無線デバイスと比較して、ベースノードからの信号を確実に復号するために数多くの反復を必要とするかもしれないという状況を反映している。深いカバレッジで動作している無線デバイスに対する資源配分量は、後者の無線デバイスより比較的多く、したがって、そのような深いカバレッジデバイスを最初に規制するのが有利である。
【０１０８】
好ましくは、トラフィッククラスは拡張カバレッジレベルに関連する。このようなレベルは、信号を確実に復号するのに必要な推定反復回数に基づいて定められることが好ましい。したがって、これは、１つ以上のトラフィッククラスに関連する規制指示により、拡張カバレッジレベルで動作している無線デバイスを直接示す。
【０１０９】
したがって、無線デバイスは、ステップＳ６において、示された拡張カバレッジレベルで動作しているかどうかをチェックする。
【０１１０】
本発明の方法によれば、これらのチェックにより、ステップＳ６において、たとえ無線デバイスが規制指示に示されたトラフィッククラスで動作していることが分かったとしても、各無線デバイスが、受信した規制指示に基づいてベースノードへのアクセスを規制されているどうかはまだ判断されていない。
【０１１１】
規制されているかどうかを知るために、無線デバイスはさらに、ステップＳ７において、現在動作している、又は動作しているとされるサービスを決定する。ステップＳ８の決定のために、無線デバイスが特権サービスで動作しているかどうかを判断することが想定される。そのような特権サービスは、具体的には警報パネルによって開始される緊急通信のような優先度の高いサービスである。そのため、優先度判別クラスを定義することが好ましい。
【０１１２】
代替的又は付加的に、規制されることにはなっていない特権サービスの優先度クラスはさらに、好ましくは規制指示と共にＳＩＢに示される。
【０１１３】
想定されるサービスがそのような優先度の高いクラスに属している場合は、ステップＳ８において、規制指示はこの無線デバイスに影響を与えないと判断される。一方、ステップＳ４において動作を続けることになる。
【０１１４】
代替的に、そのような特権サービスはまた、無線デバイスの種類及び／又はデータ操作のための現在アクティブな料金表に関連する場合もある。
【０１１５】
いずれの場合でも、ステップＳ８において、無線デバイスが優先度の高いサービスで動作しているか分からない場合は、プロセスフローはステップＳ９に分岐する。これにより無線デバイスは、現在のサービングベースノードでの動作を終了させる。具体的には、このような終了には、無線デバイスがベースノードへのキャンプオンを止める必要があるため、セル再選択の実行を余儀なくされることになることが含まれる。
【０１１６】
代替的なケースでは、データ伝送セッションを終了させて抑えるだけで足りる。
【０１１７】
本発明の方法が１つのベースノード３にキャンプオンしている２つの無線デバイス１に与える影響を図２ａ及び図２ｂに示す。
【０１１８】
図２ａは、セルラネットワーク２のベースノード３のセル領域で動作している２つの無線デバイス１を示す。示されている無線デバイス１は、それぞれ拡張カバレッジ（ＥＣ）で動作している。各無線デバイスは、１から３の拡張カバレッジレベル（ＥＣレベル）を割り当てている。必要とされる推定反復回数が多ければ多いほど、拡張カバレッジレベルが高くなる。図２ａでは、このことをキャプションで説明されるように異なるハッチングによって示す。
【０１１９】
さらなる１つの無線デバイス１’が、優先度の高いサービスで動作しているものとして示されている。これは、例えば緊急呼び出し用に操作されるホームセキュリティパネルや、例えば高齢者用の救急車を呼ぶための装置などである。
【０１２０】
図２ａは、ベースノード３が正常に動作している場合、つまりＳＩＢに、規制指示がブロードキャストされていない状況を示す。
【０１２１】
次に図２ｂには、サービングベースノード３と連動する無線デバイスの同じ配置が示されている。ここでの唯一の相違点は、ベースノード３がＭ−ＳＩＢと共に規制指示をブロードキャストすることである。これは規制を受けたセル領域内の幾つかの無線デバイスに影響を与える。規制された無線デバイスは、キャプションに示されているような破線の記号によって示されている。
【０１２２】
全体的規制指示の場合、示されている全ての無線デバイスが規制されることになる。全ての拡張カバレッジデバイスを規制する場合も、示されている全ての無線デバイスが規制されることになる。
【０１２３】
しかしながら、示されている状況では、規制指示はＥＣレベル３で動作している無線デバイスのみに関連する。つまり、ＳＩＢは、ＥＣレベル３に対応する集中使用レベルのための規制指示を示す。これに応じて、示されている無線デバイスのうちの４つが規制されているものとして示されている。これらの無線デバイスの全てが、ＥＣレベル３で動作されているものとして示されていた。
【０１２４】
しかしながら、無線デバイス１’は、ＥＣレベル３で動作しているが規制されていない。この無線デバイスは優先度の高いサービスで動作しているため、規制指示は、動作しているサービスが理由でこの無線デバイスについて却下される。本発明は、混雑状況に対処するためのベースノードのニーズと、集中使用され、場合により優先度の高いサービスで動作している無線デバイスの動作との間の良好なトレードオフをもたらすことが、この例示的な例によって明らかになる。本発明の方法は、無線デバイスが動作しているサービスの優先度も考慮に入れるため、既知の方法よりいっそうバランスの取れたアプローチを提供する。
【０１２５】
以上の詳細な説明において、本発明が実施され得る特定の実施形態を例示する添付の図面に参照がなされる。これらの実施形態は、当業者が本発明を実施し得るために十分に詳細に記載されている。本発明の様々な実施形態は、相互に相違があるが、必ずしも相互に排他的である必要性は無いことが理解されるべきである。例えば、１つの実施形態に関連して本願明細書において記載されている特定の特徴、構成又は特性は、本発明の範囲から逸脱すること無く、他の実施形態の範囲内で実施され得る。加えて、開示された各実施形態の個々の要素の位置又は配列は、本発明の範囲から逸脱することなく修正され得ることが理解されるべきである。従って、以上の詳細な説明は、本発明を限定するようには解釈されず、本発明の範囲は添付の特許請求の範囲によってのみ確定され、特許請求の範囲が権利を与える均等物の全範囲と共に適切に解釈される。
【図１】
2020145761.tif 000003
【図２ａ】
2020145761.tif 000004
【図２ｂ】
2020145761.tif 000005